(57)【要約】      （修正有）【課題】簡易な構造で、部品点数を削減し、かつ隣接する収納庫同士の連結強度を確保できるとともに、収納庫の側壁側と引出部側との対向部位における意匠性を高めることができる収納庫の端部対面構造及びシステムキッチンを提供する。【解決手段】収納庫１２に設けるパネル部材３２の端部と収納庫１２に配置される引出部１４の端部との関係を示す収納庫１２の端部対面構造であって、収納庫１２の側壁１６は、他の収納庫と連結するときに少なくとも一部の領域で接する当接部２４を有し、パネル部材３２は、当接部２４を介して側壁１６に設けられ、パネル部材３２の端部と引出部１４の端部とが略平行となるように対向する。【選択図】図１１
2015066041.tif 000002
【特許請求の範囲】
【請求項１】
収納庫に設けるパネル部材の端部と収納庫に配置される引出部の端部との関係を示す収納庫の端部対面構造であって、
前記収納庫の側壁は、他の前記収納庫と連結するときに少なくとも一部の領域で接する当接部を有し、
前記パネル部材は、前記当接部を介して前記側壁に設けられ、
前記パネル部材の端部と前記引出部の端部とが略平行となるように対向することを特徴とする収納庫の端部対面構造。
【請求項２】
収納庫に設けるパネル部材の端部と収納庫に配置される引出部の端部との関係を示す収納庫の端部対面構造であって、
前記収納庫の側壁は、側壁本体部と、前記側壁本体部に一体形成された当接部と、を有し、
前記パネル部材は、前記当接部を介して前記側壁に設けられ、
前記パネル部材の端部と前記引出部の端部とが略平行となるように対向することを特徴とする収納庫の端部対面構造。
【請求項３】
前記当接部は、前記パネル部材を前記側壁に固定するための固定手段を兼ねることを特徴とする請求項１又は２に記載の収納庫の端部対面構造。
【請求項４】
前記パネル部材の端部及び前記引出部の端部は、傾斜部をそれぞれ有し、当該傾斜部を介して対向することを特徴とする請求項１乃至３のいずれか１項に記載の収納庫の端部対面構造。
【請求項５】
請求項１乃至４のいずれか１項に記載の収納庫の端部対面構造を備えたことを特徴とするシステムキッチン。
【発明の詳細な説明】
【技術分野】
【０００１】
本発明は、収納庫の端部対面構造及びシステムキッチンに関する。
【背景技術】
【０００２】
従来の収納庫の一例として、ステンレス製の板状部材によって形成され側面の縁において外側にコの字状に曲げ加工された屈曲部を有する本体部と、屈曲部の幅とほぼ同じ厚みを有し側面の外側に取り付けられる樹脂製のスペーサと、を備えたものがある（下記特許文献１）。
【０００３】
上記収納庫によれば、収納庫の本体部の右側面、および当該収納庫に連結される他の収納庫の本体部の左側面には、上記スペーサが取り付けられている。右側面に取り付けられたスペーサと、左側面に取り付けられたスペーサとは、それぞれ対応する位置に配置されており、各スペーサ同士を突き合わせて、各本体部同士（複数の収納庫同士）が隙間なく連結固定される構造である。
【先行技術文献】
【特許文献】
【０００４】
【特許文献１】特開２０１２−１３５５６９公報
【発明の概要】
【発明が解決しようとする課題】
【０００５】
ところで、上記従来の収納庫では、樹脂製のスペーサが別途必要になり、部品点数が増加し、ひいてはコスト高になる。また、スペーサ同士を連結させる前にスペーサを収納庫の側壁側に固定する必要があり、現場での作業が煩雑であるという問題があった。
【０００６】
また、スペーサを介して収納庫同士を連結させた構成では、収納庫の側壁側と引出部側との間で位置ずれが生じるおそれがあり、意匠性が低下する問題がある。
【０００７】
そこで、本発明は、上記問題に鑑み、簡易な構造で、部品点数を削減し、かつ隣接する収納庫同士の連結強度を確保できるともに、収納庫の側壁側と引出部側との対向部位における意匠性を高めることができる収納庫の端部対面構造及びシステムキッチンを提供することを目的とする。
【課題を解決するための手段】
【０００８】
第１の発明は、収納庫に設けるパネル部材の端部と収納庫に配置される引出部の端部との関係を示す収納庫の端部対面構造であって、前記収納庫の側壁は、他の前記収納庫と連結するときに少なくとも一部の領域で接する当接部を有し、前記パネル部材は、前記当接部を介して前記側壁に設けられ、前記パネル部材の端部又は端面と前記引出部の端部又は端面とが略平行となるように対向する。
【０００９】
第２の発明は、収納庫に設けるパネル部材の端部と収納庫に配置される引出部の端部との関係を示す収納庫の端部対面構造であって、前記収納庫の側壁は、側壁本体部と、前記側壁本体部に一体形成された当接部と、を有し、前記パネル部材は、前記当接部を介して前記側壁に設けられ、前記パネル部材の端部又は端面と前記引出部の端部又は端面とが略平行となるように対向する。
【００１０】
この場合、前記当接部は、前記パネル部材を前記側壁に固定するための固定手段を兼ねる。
【００１１】
この場合、前記パネル部材の端部及び前記引出部の端部は、傾斜部をそれぞれ有し、当該傾斜部又はその傾斜面を介して対向する。
【００１２】
第３の発明は、上記収納庫の端部対面構造を備えたシステムキッチンである。
【発明の効果】
【００１３】
本発明によれば、簡易な構造で、部品点数を削減し、かつ隣接する収納庫同士の連結強度を確保できるとともに、収納庫の側壁側と引出部側との対向部位における意匠性を高めることができる。
【図面の簡単な説明】
【００１４】
【図１】本発明の一実施形態のシステムキッチンの斜視図である。
【図２】本発明の一実施形態である収納庫の連結構造の一例として収納庫が２個連結した状態を示す部分断面図である。
【図３】本発明の一実施形態である収納庫の連結構造の一例として収納庫が２個連結した状態を前方側から見た斜視図である。
【図４】本発明の一実施形態である収納庫の連結構造の一例として収納庫が２個連結した状態を後方側からみた斜視図である。
【図５】本発明の一実施形態である収納庫の連結構造の一例として収納庫が２個連結した状態の当接部の拡大平面図である。
【図６】収納庫を構成する側壁の正面図である。
【図７】収納庫を構成する側壁の平面図である。
【図８】収納庫を構成する側壁の右側面図である。
【図９】図６のＡ−Ａ間の断面図である。
【図１０】収納庫の一例の正面図である。
【図１１】図１０のＢ−Ｂ間の断面図である。
【図１２】図１０のＤ部の拡大図である。
【図１３】図１０のＣ−Ｃ間の断面図である。
【図１４】本発明の一実施形態である収納庫の端部対面構造の第１実施例を示す部分斜視図である。
【図１５】本発明の一実施形態である収納庫の端部対面構造の第２実施例を示す部分断面図である。
【図１６】本発明の一実施形態である収納庫の端部対面構造の第３実施例を示す部分断面図である。
【発明を実施するための形態】
【００１５】
本発明の一実施形態に係る収納庫の連結構造、収納庫の端部対面構造及びシステムキッチンについて、図面を参照して説明する。なお、本実施形態で説明した具体的な数値、寸法、材料、加工方法等については、あくまでも例示であり、本発明を限定するものではない。
【００１６】
［システムキッチン］
先ず、システムキッチンについて説明する。
【００１７】
図１に示すように、システムキッチン１０は、複数の収納庫１２を備えている。各収納庫１２は、所定の方向（例えばその幅方向）に沿って隣接して設けられている。
【００１８】
本実施形態のシステムキッチン１０では、３つの収納庫１２を配置した構成を一例に挙げる。例えば、図１の最も左側にはコンロが設置される第１収納庫１２Ａ、最も右側にはシンクが設置される第３収納庫１２Ｃ、第１収納庫１２Ａと第３収納庫１２Ｃの間に位置する第２収納庫１２Ｂと、で構成される。なお、３つの収納庫１２を配置した構成に限定する趣旨ではなく、例えば、２個、４個以上の収納庫を連結したシステムキッチンでもよい。
【００１９】
各収納庫１２Ａ、１２Ｂ、１２Ｃには、単数又は複数の引出部１４が適宜配置されている。各引出部１４の内部には、例えばキッチン用品などの物品が収納される。なお、シンク回りなどの用途に応じて、収納庫１２に引出部１４が配置されていない形態もあり得る。
【００２０】
所定の方向に沿って隣接する各収納庫同士は、後述する連結構造により強固に連結されている。
【００２１】
［収納庫の連結構造］
次に、システムキッチンを構成する収納庫の連結構造について説明する。
【００２２】
図２乃至図４、図１０乃至図１３に示すように、各収納庫１２は、２つの側壁１６と、背面壁１８と、底板１９と、が組み立てられて箱状に構成されている。収納庫１２の前面側には、収納庫１２に収納された引出部１４の前壁２０により覆われる。なお、図２乃至図４では第１収納庫１２Ａと第２収納庫１２Ｂを開示し、図１０乃至図１３では第３収納庫１２Ｃを開示する。
【００２３】
なお、収納庫１２は、例えばステンレスなどの同一の金属板で構成されている。
【００２４】
側壁１６には、例えばレールガイド（図示省略）等を適宜設けることにより、引出部１４の前後方向に沿ったスライド移動が容易になる。  
【００２５】
図３乃至図９に示すように、側壁１６は、正面視にて略方形状の側壁本体部２２を有している。側壁本体部２２は、例えば、ステンレスなどの金属板で構成されている。側壁本体部２２は、適宜、組立用の穴が形成されている。
【００２６】
図２乃至図５、図７乃至図９に示すように、側壁本体部２２の前面側及び背面側には、当接部２４が設けられている。当接部２４は、側壁本体部２２に一体形成されている。例えば、側壁本体部２２に対して所定の曲げ加工を行うことにより、当接部２４が形成される。当接部２４の機能として、隣接する収納庫１２同士を連結するときに、隣接する収納庫１２の側壁１６の当接部同士が少なくとも一部の領域において接する。
【００２７】
図３乃至図５に示すように、当接部２４は、収納庫１２の幅方向に沿って延在する第１延在部２６と、第１延在部２６に対して直交して延在する第２延在部２８と、を有している。隣接する収納庫同士が連結されている状態では、それぞれの第２延在部２８が全領域又は一部の領域において相互に接触した状態になる。このように、隣接する収納庫１２の各第２延在部２８同士が面接触する。
【００２８】
ここで、図５に示すように、第１延在部２６の寸法Ｘは、最大１５ｍｍ以内に設定されている。第１延在部２６の寸法Ｘは、引出部１４の前壁２０の幅方向長さとの関係で設定されている。例えば、引出部１４の前壁２０の幅方向端部が側壁１６から外側に突出する構成の場合に、隣接する他の収納庫１２の引出部１４との干渉を避けるためのスペースを確保できる程度に設定される。
【００２９】
本実施形態では、図５に示すように、第１延在部２６の寸法Ｘは、引出部１４の前壁２０の幅方向端部２０Ａの突出長Ｔと同じ程度になるように設定されている。これにより、引出部１４が収納庫１２に完全に収納されたときに、隣接する他の収納庫１２の引出部１４の前壁２０の幅方向端部との接触が回避される。また、引出部１４の前壁２０の幅方向端部２０Ａが第１延在部２６の前面側に対向する位置にくるため、ユーザからは第１延在部２６を視認することができない。この結果、システムキッチン１０の引出部１４の幅方向長さを長くした場合でも、引出部１４のスライド移動を維持でき、かつ意匠性が低下しない。
【００３０】
第２延在部２８の寸法Ｙは、最大２０ｍｍ以内、特に７ｍｍ以上２０ｍｍ以下となるように設定されている。第２延在部２８は弾性変形可能でありながら相手と接触するため、弾性バネとして機能する。このため、第２延在部２８の寸法Ｙが短くなり過ぎると、弾性バネとしての機能が低下して、不具合が生じる。逆に、第２延在部２８の寸法Ｙが長くなり過ぎると、材料費が余分に発生したり、却って施工性が悪くなる。このため、第２延在部２８の寸法Ｙは、上述した範囲に設定されていることが好ましい。
【００３１】
なお、第２延在部２８には、適宜、組立用の穴が形成されている。
【００３２】
当接部２４は、隣接する収納庫同士を連結するときに連結構造の一部を構成するとともに、後述のパネル部材３２を側壁１６に固定するための固定手段あるいは取付手段を兼ねる。
【００３３】
図３及び図４に示すように、側壁本体部２２の上面側には、平面状の取付部３０が設けられている。取付部３０は、側壁本体部２２に一体形成されている。例えば、側壁本体２２に対して所定の曲げ加工を行うことにより、取付部３０が形成される。
【００３４】
取付部３０は、収納庫１２を構成する構成部材を連結させるときの接合部として機能する。なお、収納庫１２を構成する構成部材の一例として天板やパネル・フィラー等が該当する。
【００３５】
図７乃至図９に示すように、取付部３０は、側壁本体部２２を曲げ加工するとともに側壁本体部２２と一体形成されているため、容易に形成することができ、かつ所定の強度を有している。このため、補強材等を介させることなく、取付部３０に天板やパネル・フィラー等の構成部材を直接取り付けることができる。また、取付部３０は、側壁本体部２２と一体形成されているため、独立した取付部を別途側壁１６に取り付ける構成と比較して部品点数及び組立労力を削減することができる。
【００３６】
なお、取付部３０には、適宜、組立用の孔が形成されている。
【００３７】
取付部３０は、適宜、後述のパネル部材３２を側壁１６に固定するための固定手段あるいは側壁１６に取り付けたパネル部材３２を支持する支持手段を兼ねることが可能である。
【００３８】
このように、側壁本体部２２には、当接部２４及び取付部３０の両方がそれぞれ一体形成されている。
【００３９】
以上のようにして、幅方向に隣接する収納庫同士を連結した状態で、当接部２４同士が接触している。例えば、図２乃至図４では、第１収納庫１２Ａと第２収納庫１２Ｂとが幅方向に沿って隣接しており、両者の当接部２４同士が少なくとも一部の領域において接触している。図５に示すように、第１収納庫１２Ａと第２収納庫１２Ｂの第１延在部２６同士が一体となって所定の平面を形成し、第２延在部２８同士が面接触している。
【００４０】
幅方向に隣接する収納庫同士を連結する場合には、側壁同士をボルト及びナット等の固着具により固定することが好ましい。また、相互に面接触した第２延在部２６同士をボルト及びナット等の固着具により固定してもよい。
【００４１】
このとき、第２延在部２８同士が相互に弾性力を及ぼし合い、適宜、弾性変形する。ここで、側壁１６の設計精度が低い場合には寸法誤差が生じるが、相互に面接触する第２延在部２８の両方又は一方が弾性変形することにより寸法誤差を吸収する。このように、当接部２４自体にバネ機能をもたせ、適宜弾性変形させることにより、側壁１６の寸法誤差を吸収することができる。また、当接部２４全体が所定の弾性力を有するため、各収納庫１２の連結部において所定の強度を維持することができ、要求される連結強度を維持できる。
【００４２】
なお、第２収納庫１２Ｂと第３収納庫１２Ｃとが隣接しているが、両者の当接部２４同士の接触状態については、第１収納庫１２Ａと第２収納庫１２Ｂのものと同様であるため、図示及びその説明を省略する。
【００４３】
このように本実施形態の収納庫の連結構造及びシステムキッチン１０によれば、収納庫１２の側壁１６自体に当接部２４というバネ機能をもたせ、他の収納庫１２の当接部２４と面接触することにより、簡易な構造で、部品点数を削減し、かつ隣接する収納庫同士の連結強度を確保できる。
【００４４】
ここで、収納庫１２には左右の側壁１６を備えており、他の収納庫１２の側壁１６と連結することになるが、システムキッチン１０の幅方向両側端部に位置する側壁１６は他の収納庫１２の側壁１６に連結しない。例えば、図２では、システムキッチン１０の幅方向両側端部に位置する、連結しない側壁１６とは、第１収納庫１２Ａの左側（図２の図示方向）の側壁１６と、第３収納庫１２Ｃの右側の側壁１６とが該当する。
【００４５】
図２に示すように、システムキッチン１０の幅方向両側端部に位置する側壁１６には、パネル部材３２が装着される。すなわち、システムキッチン１０の幅方向の左側端部及び右側端部に位置する側壁１６には上述した当接部２４が形成されているが、これらが外部に露出するため、意匠性が悪くなる。このため、当接部２４を隠すように、パネル部材３２が装着される。パネル部材３２は、意匠性に優れたデザインを有しており、当接部２４に引っ掛けるようにして装着可能である。これにより、パネル部材３２が当接部２４を完全に覆い隠すため、意匠性が高くなる。
【００４６】
また、当接部２４は、収納庫１２の連結手段及び連結時の強度維持手段の他に、パネル部材３２を装着するための固定手段として機能させることも可能である。これにより、当接部２４がシステムキッチン１０の幅方向端部に位置したときに、取付手段・取付機構を別途設けることなく、パネル部材３２を当接部２４によって収納庫１２の側壁１６に固定することができる。この結果、システムキッチン１０の部品点数を削減できる。
【００４７】
なお、側壁１６の取付部３０についても、当然ながら、パネル部材３２を装着するための固定手段あるいは固定時の支持手段として機能させることができ、この場合も当接部２４と同様の作用効果が得られる。
【００４８】
［収納庫の端部対面構造］
次に、収納庫の端部対面構造について説明する。
【００４９】
（第１実施例）
図１１、図１２、図１４に示すように、第１実施例における、第３収納庫１２Ｃの右側端部に位置するパネル部材３２の前側端面と引出部１４の前壁２０の幅方向部端面との対面構造では、パネル部材３２の前側端部３４に傾斜部３６が形成されている。また、引出部１４の前壁２０の右側端部３８には、傾斜部４０が形成されている。また、両者の傾斜部３６、４０の傾斜面３６Ａ、４０Ａが相互に略平行となるように対向して配置されている。
【００５０】
なお、第１実施例では、傾斜部３６、４０の傾斜面３６Ａ、４０Ａの傾斜角度は、一例として４５度を示す。ただし、傾斜角度を４５度に限定する趣旨ではなく、他の傾斜角度を採用することもできる。
【００５１】
第１実施例によれば、引出部１４を収納庫１２に収納したときに、パネル部材３２の傾斜部３６の傾斜面と引出部１４の傾斜部４０の傾斜面とが略平行となるように対向し、意匠性が高くなる。特に端部が所定の傾斜角で位置合わせされているというような高度な意匠性を実現できる。よって、デザイン全体の意匠を一層と高める結果に貢献する。
【００５２】
なお、図示しないが、第１収納庫１２Ａの左側端部に位置するパネル部材３２の前側端部と引出部１４の前壁２０の左側端部との対面構造についても、同様の端面構造を適用することができる。
【００５３】
（第２実施例）
図１５に示すように、第２実施例における、第１収納庫１２Ａの左側端部に位置するパネル部材３２の前側端面と引出部１４の前壁２０の幅方向部端面との対面構造では、パネル部材３２の前側端部３４の端面３４Ａと引出部１４の前壁２０の左側端部４２の端面４２Ａとが相互に略平行となるように対向して配置されている。特に、パネル部材３２の端面３４Ａは、引出部１４の前壁２０の左側端部４２の横側に並んで位置しており、前方側からも視認できる。
【００５４】
なお、第２実施例における、「パネル部材３２の前側端部３４の端面３４Ａ」とは、前側端部３４の収納庫１２の前後方向（奥行き方向）に延びる平面を意味する。また、「引出部１４の前壁２０の左側端部４２の端面４２Ａ」とは、左側端部４２の収納庫１２の前後方向（奥行き方向）に延びる平面を意味する。
【００５５】
第２実施例によれば、上記端面３４Ａ、４２Ａ同士が相互に略平行となるように対向して配置されているため、端面３４Ａ、４２Ａ同士の平行精度を視認化できるとともに、パネル部材３２の端部が前方側へ露出する。これにより、システムキッチン１０の滑らかな輪郭を訴えることができる。
【００５６】
なお、図示しないが、第３収納庫１２Ｃの右側端部に位置するパネル部材３２の端面と引出部１４の前壁２０の右側端部の端面との対面構造についても、同様の端面構造を適用することができる。
【００５７】
（第３実施例）
図１６に示すように、第３実施例における、第３収納庫１２Ｃの右側端部に位置するパネル部材３２の前側端面と引出部１４の前壁２０の幅方向部端面との対面構造では、パネル部材３２の前側端部３４の端面３４Ａと引出部１４の前壁２０の右側端部３８の端面３８Ａとが相互に略平行となるように対向して配置されている。特に、パネル部材３２の端面３４Ａは、引出部１４の前壁２０の右側端部３８の後方側に位置しており、前方側からは視認できない。
【００５８】
なお、第３実施例における、「パネル部材３２の前側端部３４の端面３４Ａ」とは、前側端部３４の収納庫１２の左右方向（幅方向）に延びる平面を意味する。また、「引出部１４の前壁２０の右側端部３８の端面３８Ａ」とは、右側端部３８の収納庫１２の左右方向（幅方向）に延びる平面を意味する。
【００５９】
第３実施例によれば、上記端面３４Ａ、３８Ａ同士が相互に略平行となるように対向して配置されているため、端面３４Ａ、３８Ａ同士の平行精度を視認化できるとともに、パネル部材３２の前側端部３４が前方側へ露出しないので、引出部１４を大きく見せることができる。これにより、システムキッチン１０を前面側から見たときにスマートですっきりとした印象を与えることができる。
【００６０】
なお、図示しないが、第１収納庫１２Ａの左側端部に位置するパネル部材３２の端面と引出部１４の前壁２０の左側端部の端面との対面構造についても、同様の端面構造を適用することができる。
【００６１】
さらに、左右両側端部のパネル部材の端面と引出部の端面との対面構造については、平行性を伴う様々な意匠がある。本発明は、端部の平行性を伴う端部対面構造の全てに適用することができる。
【符号の説明】
【００６２】
１０      システムキッチン
１２      収納庫
１２Ａ    第１収納庫
１２Ｂ    第２収納庫
１２Ｃ    第３収納庫
１４      引出部
１６      側壁
１８      背面壁
１９      底板
２０      前壁
２２      側壁本体部
２４      当接部
２６      第１延在部
２８      第２延在部
３０      取付部
３２      パネル部材
３４      前側端部
３４Ａ    端面
３６      傾斜部
３６Ａ    傾斜面
３８      右側端部
３８Ａ    端面
４０      傾斜部
４０Ａ    傾斜面
４２      左側端部
４２Ａ    端面
【図１】
2015066041.tif 000003
【図２】
2015066041.tif 000004
【図３】
2015066041.tif 000005
【図４】
2015066041.tif 000006
【図５】
2015066041.tif 000007
【図６】
2015066041.tif 000008
【図７】
2015066041.tif 000009
【図８】
2015066041.tif 000010
【図９】
2015066041.tif 000011
【図１０】
2015066041.tif 000012
【図１１】
2015066041.tif 000013
【図１２】
2015066041.tif 000014
【図１３】
2015066041.tif 000015
【図１４】
2015066041.tif 000016
【図１５】
2015066041.tif 000017
【図１６】
2015066041.tif 000018